(57)【要約】【課題】自動車のフロアカーペットは裏面に配設される緩衝材によって部分的に厚くなり、荷姿を平坦にし難いことから、輸送効率が低下して輸送コストの増大につながっている。【解決手段】前記緩衝材をフロアカーペットの裏面に貼着された主緩衝材と、主緩衝材の裏面に係合積層される副緩衝材とからなるように形成し、主緩衝材のみをサブアッセンブリー貼着し、副緩衝材は主緩衝材との係合状態を解除して積荷することにより、フロアカーペットや緩衝材の荷姿は凹凸が少なく平坦になり、緩衝材全体の厚さが厚い場合でも輸送効率の低下を生じない敷設体とする。【選択図】図１
2005053339.tif 000002
【特許請求の範囲】
【請求項１】
自動車のフロアパネル上に敷設されるフロアカーペットと、フロアカーペットとフロアパネルとの間に配設される緩衝材とからなる自動車用フロア敷設体であって、
前記緩衝材の少なくとも一部は、前記フロアカーペットの裏面に貼着された主緩衝材と、主緩衝材の裏面に係合積層された副緩衝材とからなることを特徴とする、自動車用フロア敷設体。
【請求項２】
前記主緩衝材と副緩衝材の係合積層が、前記主緩衝材の裏面に形成された窪溝に、前記副緩衝材の表面に形成された突起を嵌め込んでなされることを特徴とする、請求項１に記載の自動車用フロア敷設体。
【請求項３】
前記副緩衝材が、前記フロアカーペットの周縁近傍の裏面に貼着されている前記主緩衝材の裏面に係合積層されていることを特徴とする、請求項１に記載の自動車用フロア敷設体。
【請求項４】
前記主緩衝材の一般部の厚さが前記副緩衝材の一般部の厚さに対して、十分に薄い厚さであることを特徴とする、請求項１から３に記載の自動車用フロア敷設体。
【請求項５】
前記副緩衝材の裏面には、同形状の副緩衝材の表面に形成された前記突起を容れる大きさの裏面窪溝が形成されていることを特徴とする、請求項１から３に記載の自動車用フロア敷設体。
【請求項６】
請求項１から５に記載の自動車用フロア敷設体の輸送方法であって、
裏面に主緩衝材を貼着したフロアカーペットを重ねて積荷するとともに、
副緩衝材は主緩衝材との係合積層状態を解除した状態に積荷して輸送することを特徴とする、
自動車用フロア敷設体の輸送方法。
【発明の詳細な説明】
【技術分野】
【０００１】
本発明は、自動車のフロアパネル上に敷設されるフロアカーペットと、フロアカーペットとフロアパネルの間に配設される緩衝材、とからなる自動車フロア用敷設体、およびその輸送方法に関する。
【背景技術】
【０００２】
従来、乗用車等の自動車のフロア部は、フロアパネルの上に内装材としてカーペットを敷設することで意匠性を確保するようにしている。この種のフロアカーペットには、裏面に熱可塑性樹脂の裏打ちをほどこしたタフトカーペットやニードルパンチカーペットが用いられる。フロアカーペット裏面の裏打ちを加熱、可塑化させることで賦形性を発現させ、プレス成形によりおよそフロアパネルに沿う形状に立体的に成形してフロアパネル上に敷設するものである。
【０００３】
この際、フロアカーペットとフロアパネルの間には、各種の緩衝材を介在、配設することが一般的である。フロアカーペットの裏面とフロアパネルとの間に各種の緩衝材を配設する目的としては、緩衝材がフロアパネルの細かな凹凸を覆ってフロアの平滑性を確保すること、緩衝材にフロアパネル方向からの騒音を吸音させること、乗員の足下の触感を緩衝することなどがある。
これらの目的のために緩衝材の素材は自動車ごとに合わせて各種選択されるが、低密度・嵩高で、適度の柔らかさとクッション性があり吸音性にも優れる素材が適し、各種のフェルト類や樹脂発泡体が多く用いられている。
【０００４】
近年の自動車の衝突安全に関する研究の進展により、特に乗用自動車における前方からの衝突事故を想定した場合、前席乗員の足下は下方から強い衝撃荷重を受ける可能性があると知られてきている。このため乗員足下の衝撃荷重を内装材で緩衝することで、より安全性を高めるための各種の保護材（通称ティビアパッド）が提案されている。
たとえば特開平１０−３２９７６２号（特願平９−１３８９１３号）には「車体の前席乗員が足を載せる足元部分に、車室側に開口した凹部を形成し、その凹部に、自動車の衝突により車体から足に加わる衝撃を吸収緩和するためのエネルギ吸収体を設けたことを特徴とする、自動車の車体構造」が開示されている。
この種の緩衝材の配設される部位は、フロアパネルと、このフロアパネルの上に敷設されるフロアカーペットとの間であるが、特にティビアパッドの場合は、その目的から前席乗員の足下（前席乗員が着座した際の足溜まり部）に相当する部位に選択的に配設されるものである。
【特許文献１】特開平１０−３２９７６２号公報（特願平９−１３８９１３号）
【特許文献２】特開平６−１８３２９３号公報（特願平３−７３５７９号）
【発明の開示】
【発明が解決しようとする課題】
【０００５】
この種の緩衝材は、フロアカーペットの裏面に貼着することで一つのフロア敷設体としてサブアッセンブリーして、自動車の組み付けラインに輸送することが一般的である。これは、この種の敷設体が部品メーカーで生産され、搬送パレットに荷積みして自動車メーカーの組み付けラインに輸送、搬入されるものであることを鑑みれば、フロアカーペットと緩衝材をそれぞれ独立に自動車の組み付けラインに搬入し、それぞれを自動車室内にアッセンブリーするのと比較してサブアッセンブリーによる搬入は、ライン工程が少なくてすむ合理性があることによる。また、フロアカーペットにサブアッセンブリーされた状態の緩衝材は、フロアパネルに対しての配設位置決めが容易な利点もある。
【０００６】
ところで上記したように、昨今、この種の緩衝材に衝撃吸収性の機能を求めるために、しだいに厚さの厚い緩衝材を採用する傾向である。このように緩衝材の厚さが厚くなることにより、緩衝材をサブアッセンブリーしたフロアカーペット（フロア敷設体）の厚さが部分的に厚くなって荷姿を平坦にし難いことから、輸送効率が低下して輸送コストの増大につながる問題を生じている。
本発明は上記課題に鑑みなされたものである。
【課題を解決するための手段】
【０００７】
課題を解決する本発明の手段は、自動車のフロアパネル上に敷設されるフロアカーペットと、フロアカーペットとフロアパネルとの間に配設される緩衝材とからなる自動車用フロア敷設体であって、
前記緩衝材は、前記フロアカーペットの裏面に貼着された主緩衝材と、主緩衝材の裏面に係合積層された副緩衝材とからなることを特徴とする、自動車用フロア敷設体による。
【発明の効果】
【０００８】
本発明では、自動車のフロアパネルとフロアカーペットとの間に配設される緩衝材を、主緩衝材と副緩衝材とに厚さ方向に分けて係合積層する構造の敷設材とすることにより、
フロアカーペットに主緩衝材のみをサブアッセンブリー貼着し、副緩衝材は主緩衝材との係合状態を解除して積荷することにより、フロアカーペットや緩衝材の荷姿に凹凸が少なく平坦になり、緩衝材全体の厚さが厚い場合でも輸送効率の低下を生じない敷設体とすることができる。
【発明を実施するための最良の形態】
【０００９】
以下、図面を参照して本発明の好適の実施の形態を説明する。
図１は、前後の座席を有する乗用自動車のフロア模式断面図であり、フロアパネルＰ上に本発明のフロア敷設体１０（フロアカーペット２０および緩衝材３０、３５）を敷設した状態に示す。
フロア敷設体１０のうち、フロアカーペット２０は熱可塑性樹脂の裏打ち２１をもってフロアパネルＰに合わせて立体的な形状に成形されてなり、フロアカーペット２０の裏面の適宜箇所ではフロアパネルＰとの間に複数の緩衝材３０や３５が配設される。
【００１０】
この形式の乗用自動車のフロアは、前席乗員Ｍ足下の足溜まり部Ｐ１や、後席乗員足下の足溜まり部Ｐ２は比較的平坦であり、この部分に敷設されるフロアカーペット２０の裏面には、厚さが薄く（〜３０ｍｍ未満）、柔らかい、合繊フェルト等の一般的な緩衝材３５が貼着されている。
これに対して、フロアの前方側の周縁近傍Ｐ０では、フロアパネルＰが斜め前方に立ち上っており、この部分に敷設されるフロアカーペット２０の裏面には厚さが厚く（２０ｍｍ〜）、折れ曲がらない硬さのある緩衝材（ティビアパッド）３０が配設され、前方から衝撃を受けた場合の前席乗員Ｍの足を保護している。本発明では、この緩衝材３０を主緩衝材３１と副緩衝材３２にして係合積層したものとしていることに特徴がある。
主緩衝材３１と副緩衝材３２は形状保持性があり、かつ緩衝性のある同種の素材（樹脂粒子発泡体など）からなり、厚さについて見ると、主緩衝材３１の一般部の厚さが副緩衝材３２の一般部の厚さと同程度〜１／１０ほどに薄いことが、後述の副緩衝材３２を主緩衝材３１から分離した本発明のフロア敷設体の輸送方法（積荷形態）に鑑み好ましい。
主緩衝材３１はその表面３１ａを、フロアカーペット２０の周縁近傍の裏面に貼着されるものであり、その貼着方法としてはフロアカーペットの裏打ち２１によって貼着するか、各種の接着剤を用いて貼着することが可能である。一方副緩衝材３２は主緩衝材３１の裏面３１ｂに係合積層されるものである。
【００１１】
図２には、主緩衝材３１と副緩衝材３２の好ましい係合積層態様の一例を示す。
図２の例では主緩衝材３１の裏面３１ｂには複数の窪溝３１１を形成し、一方、副緩衝材３２の表面３２ａには前記窪溝３１１に相対して複数の突起３２１が形成されており、これら窪溝３１１と突起３２１は相互に噛み合い、嵌め合わせられる形状を有している。したがって副緩衝材３２の表面３２ａを主緩衝材３１の裏面３１ｂに合わせることにより、前記窪溝３１１に前記突起３２１が嵌め合わされて副緩衝材３２が主緩衝材３１に係合積層される。
この係合積層は、緩衝材３１、３２の素材の摩擦力と形状の合わせにより特別の接着剤等を用いることなく摩擦力でおこなうことが好ましく、窪溝や突起の形状は相互に良好な係合がなされるものであれば、各種の形状および数の設定が可能である。
副緩衝材３２の裏面３２ｂにはまた、突起３２１に相似の窪溝３２２を形成することは、後述の副緩衝材３２どうしの積層に好適である。
【００１２】
以下、図３によって、本発明の自動車用フロア敷設体１０の好ましい輸送方法（荷姿）を、従来のフロア敷設体１１０の場合との比較において説明する。図３（ａ）が本発明の自動車用フロア敷設体１０の荷姿を示し、図３（ｂ）は従来例の敷設体１１０の荷姿を示し、それぞれ同じ搬送パレットＣ（内のり高さｈ）への積荷状態の模式側面視を示す。
【００１３】
本発明および従来例のフロア敷設材１０、１１０には、それぞれアッセンブリー状態で同じ厚さとなる緩衝材（ティビアパッド）３１および３２、１３０が、同じフロアカーペット２０、１２０の周縁近傍に配設されており、フロアカーペット２０、１２０の中央よりの裏面には、厚さの薄い柔軟な一般緩衝材３５、１３５が貼着されている。
図３（ａ）の本発明では、フロア敷設体１０のうち、緩衝材（ティビアパッド）を比較的厚さの薄い主緩衝材３１と、比較的厚さの厚い副緩衝材３２とに分けて、厚さの薄い主緩衝材３１のみをフロアカーペット２０の裏面に貼着してサブアッセンブリーとし、副緩衝材３２は主緩衝材３１との係合積層を解除した状態に積荷するものである。この場合、搬送パレットＣにフロア敷設体１０のサブアッセンブリー（主緩衝材３１および一般的な緩衝材３５を裏面に貼着したフロアカーペット２０）を下から順に積み上げても、主緩衝材３１や一般的な緩衝材３５の厚さが薄いために、特定の部位が嵩高になる傾向は緩和され、より多くのフロア敷設体をパレットＣに積荷することが可能である。
特には図のように、副緩衝材３２を搬送パレットＣの空いた隙間に重ね積むことにより輸送効率を高めることが可能であり、この際、副緩衝材を図２の形状にして、副緩衝材の突起３２１を他の副緩衝材の窪溝３２２に嵌め合わせれば、複数の副緩衝材３２が相互に嵌め合わされることで輸送中に散乱することなく、副緩衝材３２の積荷高さも低くすることができる。また、他の実施形態としては、副緩衝材は、主緩衝材から完全に別体にするほかに、主緩衝材の一部にヒンジ結合してもよい。
【００１４】
このような輸送態様（荷姿）をもってフロア敷設体を自動車の組付けラインに輸送した場合でも、自動車の組み付けラインでの作業として、副緩衝材３２を主緩衝材３１の裏面３１ｂに嵌め合わせ、係合積層するだけでよいため、組み付け作業者の大きな負担となることも無い。
【００１５】
これに対して、図３（ｂ）の従来例では、
搬送パレットＣにフロア敷設体１１０（フロアカーペット１２０と緩衝材１３０、１３５のサブアッセンブリー）を下から順に積み上げていくと、フロアカーペット１２０の周縁近傍の裏面に厚さの厚い緩衝材（ティビアパッド）１３０が貼着されているために、裏面に厚さの厚い緩衝材１３０があるフロア敷設体１１０の周縁近傍が特に嵩高になり、特定の枚数を積み上げた後では、この部位が一般面より早く搬送パレットＣの内のり高さｈを超えて上に飛び出すため、これ以上の枚数を積荷できない状態になる。なお、この際、フロア敷設体の他の部位では、まだ搬送パレット内に大きな隙間Ｓが残り、輸送効率に無駄を生じていることが示唆される。
【実施例】
【００１６】
厚さ６０ｍｍ、面積（３００×５００ｍｍ）のティビアパッドを、運転席の足下に相当するフロアカーペット（中型のセダン型乗用自動車用）の裏面に貼着するフロア敷設体を、内のり高さ１０００ｍｍの四角型パレットに積荷する例で検証した結果、図３（ｂ）の従来例の荷姿ではｎ＝１５枚以下しか積荷できないものが
本発明にそって図３（ａ）のように緩衝材（ティビアパッド）厚さ２０ｍｍの主緩衝材と厚さ４０ｍｍの副緩衝材に分けて積荷することで、Ｎ＝３５枚まで積荷できることを確認した。
【産業上の利用可能性】
【００１７】
本発明のフロア敷設体およびその輸送方法によって、厚さが厚く、形状保持性のある緩衝材（ティビアパッド）をサブアッセンブリー貼着したフロア敷設体の輸送効率が向上し、輸送コストの低減が可能である。
荷積高さが低くなることで、部品メーカー、自動車メーカーともに保管倉庫の省スペースの効果を享受できる。
個々のフロア敷設体が積荷状態で大きく曲げられることが無く平らな荷姿であるため、フロア敷設体の構成要素に曲げくせ、変形、皺等を生じ難い。
【図面の簡単な説明】
【００１８】
【図１】本発明のフロア敷設体を自動車のフロアパネル上に敷設した状態を示す模式断面図
【図２】主緩衝材と副緩衝材の係合積層態様を示す部分拡大図。
【図３】自動車用フロア敷設体の積荷状態を示す説明図。
【符号の説明】
【００１９】
１０  自動車用フロア敷設体 
２０  フロアカーペット
３０  緩衝材（ティビアパッド）
３１  主緩衝材
３１１  窪溝
３２  副緩衝材
３２１  突起
３２２  窪溝
３５  一般的な緩衝材
Ｐ  フロアパネル
Ｍ  前席乗員
Ｃ  搬送パレット
【図２】
2005053339.tif 000003
【図１】
2005053339.tif 000004
【図３】
2005053339.tif 000005